(57)【特許請求の範囲】
【請求項１】
光源と、
前記光源の放射光を透過するアウタレンズと、
前記アウタレンズに形成されたハーフミラー層と
を備え、
前記アウタレンズは、照明装置の光軸と交差する第１領域と、前記第１領域を除く領域である第２領域とを有し、
前記ハーフミラー層は、前記第２領域の光透過率よりも前記第１領域の光透過率の方が高くなるように形成されている照明装置であって、
前記ハーフミラー層は、
前記アウタレンズの第１面側の全面に形成された第１層と、
前記アウタレンズの第２面側の前記第２領域に形成された第２層と
を備える照明装置。
【請求項２】
前記第１領域の裏面側に配置され、前記光源の放射光を前記アウタレンズに向けて反射する金属調のリフレクタを備えた、
請求項１に記載の照明装置。
【請求項３】
前記光源と、前記リフレクタの端部とが、前記光軸方向にて前記第２領域の裏面側に配置されている、
請求項２に記載の照明装置。
【請求項４】
光源と、
前記光源の放射光を透過するアウタレンズと、
前記アウタレンズに形成されたハーフミラー層と
を備え、
前記アウタレンズは、照明装置の光軸と交差する第１領域と、前記第１領域を除く領域である第２領域とを有し、
前記ハーフミラー層は、前記第２領域の光透過率よりも前記第１領域の光透過率の方が高くなるように形成されている照明装置であって、
前記ハーフミラー層は前記アウタレンズの片面に形成されている照明装置であって、
前記第１領域における前記ハーフミラー層の層厚が、前記第２領域における前記ハーフミラー層の層厚よりも薄く形成されている照明装置。
【請求項５】
前記第１領域の裏面側に配置され、前記光源の放射光を前記アウタレンズに向けて反射する金属調のリフレクタを備えた、
請求項４に記載の照明装置。
【請求項６】
前記光源と、前記リフレクタの端部とが、前記光軸方向にて前記第２領域の裏面側に配置されている、
請求項５に記載の照明装置。
【請求項７】
前記第１領域における前記ハーフミラー層は縞模様状である、
請求項４〜６のいずれか一項に記載の照明装置。
【請求項８】
光源と、
前記光源の放射光を透過するアウタレンズと、
前記アウタレンズに形成されたハーフミラー層と
を備え、
前記アウタレンズは、照明装置の光軸と交差する第１領域と、前記第１領域を除く領域である第２領域とを有し、
前記ハーフミラー層は、前記第２領域の光透過率よりも前記第１領域の光透過率の方が高くなるように形成されている照明装置であって、
前記第１領域の裏面側に配置され、前記光源の放射光を前記アウタレンズに向けて反射する金属調のリフレクタを備えた照明装置であって、
前記光源と、前記リフレクタの端部とが、前記光軸方向にて前記第２領域の裏面側に配置されている照明装置。
【請求項９】
前記ハーフミラー層は前記アウタレンズの片面に形成されている、
請求項８に記載の照明装置。
【請求項１０】
前記第１領域における前記ハーフミラー層は縞模様状である、
請求項８および請求項９のいずれか一項に記載の照明装置。
【発明の詳細な説明】
【技術分野】
【０００１】
本発明は照明装置に係り、詳しくは、ハーフミラーを用いた照明装置に関するものである。
【背景技術】
【０００２】
従来より、ハーフミラーを用いることにより、光源の非発光時に照明装置を金属調に光輝させて高級感を得ると共に目立たせるようにした車両用照明装置が提案されている（例えば、特許文献１を参照）。
【先行技術文献】
【特許文献】
【０００３】
【特許文献１】特開２００５−１４２１３２号公報
【発明の概要】
【発明が解決しようとする課題】
【０００４】
照明装置においてアウタレンズにハーフミラー層を形成した場合には、ハーフミラー層を形成しない場合に比べて光透過率が大幅に低下する。
そのため、照明装置が十分な光量を得るには、ハーフミラー層の光透過率を高めるか、光源の光量を多くする必要がある。
しかし、ハーフミラー層の光透過率を高めると、光源の非発光時における昼間にはハーフミラー層を通して照明装置の内部が見え易くなるため、照明装置の見栄えが悪くなって美観が損なわれるという問題がある。
また、光源の光量を多くすると、発光効率の高い高価な光源が必要になることに加え、光源の放熱対策を厳重にする必要があるため、コストが増大するという問題がある。
【０００５】
本発明は前記問題を解決するためになされたものであって、その目的は、ハーフミラーを用いることにより光源の非発光時に照明装置を金属調に光輝させて高級感を得ると共に目立たせた上で、光源の非発光時における昼間の見栄えを良くして美観を高めることが可能な照明装置を低コストに提供することにある。
【課題を解決するための手段】
【０００６】
本発明者らは前記課題を解決するために鋭意検討を重ねた結果、下記のように本発明の各局面に想到した。
【０００７】
＜第１局面＞
第１局面は、
光源と、
前記光源の放射光を透過するアウタレンズと、
前記アウタレンズに形成されたハーフミラー層とを備え、
前記アウタレンズは、照明装置の光軸と交差する第１領域と、前記第１領域を除く領域である第２領域とを有し、
前記ハーフミラー層は、前記第２領域の光透過率よりも前記第１領域の光透過率の方が高くなるように形成されている照明装置である。
【０００８】
第１局面では、アウタレンズに形成されたハーフミラー層を備えるため、光源の非発光時に照明装置を金属調に光輝させて高級感を得ると共に目立たせることができる。
そして、第１局面では、照明装置の光軸と交差する第１領域の光透過率が高いため、第１領域の面積を十分に大きく設定すれば、光源の光量を多くしなくても、照明装置の光軸に沿った照射光の光量を十分に多くすることができる。
従って、発光効率の高い高価な光源が必要なく、光源の放熱対策を厳重にする必要もないため、照明装置の低コスト化を図ることができる。
【０００９】
また、第１局面では、第１領域の面積を十分に小さく設定すれば、光源の非発光時における昼間でも、第１領域のハーフミラー層を通して照明装置の内部が見え難くなるため、照明装置の見栄えを良くして美観を高めることができる。
すなわち、第１領域の面積は、照射光の光量と、照明装置の見栄えとを勘案して最適な面積に設定すればよい。
【００１０】
＜第２局面＞
第２局面は、第１局面において、前記第１領域の裏面側に配置され、前記光源の放射光を前記アウタレンズに向けて反射する金属調のリフレクタを備える。
第２局面では、光源の非発光時における昼間には、第１領域のハーフミラー層を通してリフレクタが見えるが、リフレクタが金属調で光輝するため、第２領域のハーフミラー層が光輝するのと相俟って、照明装置の内部を見え難くすることが可能であり、照明装置の美観を更に高めることができる。
【００１１】
＜第３局面＞
第３局面は、第２局面において、前記光源と、前記リフレクタの端部とが、前記光軸方向にて前記第２領域の裏面側に配置されている。
第３局面では、光源やリフレクタの端部が第２領域によって隠蔽され、光源の非発光時における昼間でも、第１領域のハーフミラー層を通して光源やリフレクタの端部が見えないため、照明装置の美観を更に高めることができる。
【００１２】
＜第４局面＞
第４局面は、第１〜第３局面において、前記ハーフミラー層は前記アウタレンズの片面に形成されている。
第４局面では、ハーフミラー層をアウタレンズの片面に形成するだけでよいため、ハーフミラー層をアウタレンズの表裏両面に形成する場合に比べて、照明装置の製造コストを低減することができる。
【００１３】
＜第５局面＞
第５局面は、第４局面において、前記第１領域における前記ハーフミラー層の層厚が、前記第２領域における前記ハーフミラー層の層厚よりも薄く形成されている。
第５局面では、ハーフミラー層の層厚が薄いほど光透過率が高くなることを利用し、第１領域と第２領域とでハーフミラー層の層厚を異ならせるだけで、第２領域の光透過率よりも第１領域の光透過率を容易に高くすることができる。
【００１４】
＜第６局面＞
第６局面は、第１〜第３局面において、前記第１領域における前記ハーフミラー層は縞模様状である。
第６局面では、ハーフミラー層を縞模様状にすると光透過率が高くなることを利用し、第１領域におけるハーフミラー層を縞模様状にするだけで、第２領域の光透過率よりも第１領域の光透過率を容易に高くすることができる。
【００１５】
＜第７局面＞
第７局面は、第１〜第３局面において、
前記ハーフミラー層は、
前記アウタレンズの第１面側の全面に形成された第１層と、
前記アウタレンズの第２面側の前記第２領域に形成された第２層とを備える。
【００１６】
第７局面では、アウタレンズの表裏両面に形成されたハーフミラー層の層厚の合計が薄いほど光透過率が高くなるため、アウタレンズの光透過率は、ハーフミラー層の第２層が形成された第２領域よりも、第２層が形成されていない第１領域の方が高くなる。
【図面の簡単な説明】
【００１７】
【図１】本発明を具体化した第１実施形態の発光装置１０の縦断面の端面図。
【図２】本発明を具体化した第２実施形態の発光装置２０の縦断面の端面図。
【図３】本発明を具体化した第３実施形態の発光装置３０の縦断面の端面図。
【発明を実施するための形態】
【００１８】
以下、本発明を具体化した各実施形態について図面を参照しながら説明する。尚、各実施形態において、同一の構成部材および構成要素については符号を等しくすると共に、同一内容の箇所については重複説明を省略する。
また、各図面では、説明を分かり易くするために、各実施形態の構成部材の寸法形状および配置箇所を誇張して模式的に図示してあり、各構成部材の寸法形状および配置箇所が実物とは必ずしも一致しないことがある。
【００１９】
＜第１実施形態＞
図１に示すように、第１実施形態の照明装置１０は、アウタレンズ１１（第１領域１１ａ、第２領域１１ｂ）、ハーフミラー層１２ａ，１２ｂ、ハウジング１３（収容凹部１３ａ、開口部１３ｂ、板状部１３ｃ）、リフレクタ１４（端部１４ａ）、リフレクタ１５、光源１６、実装基板１７、光軸Ｌ、間隙Ｓなどを備え、車両外装用照明装置（例えば、フォグランプなど）として用いられる。
【００２０】
アウタレンズ１１は厚みが略均一な板状であり、略中央部分に配置された第１領域１１ａと、第１領域１１ａを除く領域である第２領域１１ｂとを有する。
ハーフミラー層（マジックミラー層、半透光層）１２ａはアウタレンズ１１の第１領域１１ａの裏面（背面）に形成され、ハーフミラー層１２ｂはアウタレンズ１１の第２領域１１ｂの裏面に形成され、各ハーフミラー層１２ａ，１２ｂは連続するように一体形成されている。
【００２１】
各ハーフミラー層１２ａ，１２ｂの層厚はそれぞれ略均一であり、ハーフミラー層１２ａの層厚は、ハーフミラー層１２ｂの層厚よりも薄く形成されている。
ハーフミラー層の層厚が薄いほど光透過率は高くなるため、アウタレンズ１１の光透過率は、第２領域１１ｂよりも第１領域１１ａの方が高くなるように設定されている。
尚、ハーフミラー層１２ａ，１２ｂの光透過率と光反射率は相反関係にあるため、ハーフミラー層１２ｂの光反射率はハーフミラー層１２ａの光反射率よりも高くなる。
【００２２】
照明装置１０の光軸Ｌは、アウタレンズ１１の第１領域１１ａと交差する。
車両用照明装置に関する交通法規にて、アウタレンズ１１の第１領域１１ａは照明装置１０の照射光に係る光量または発光面積の規定がなされている領域であり、アウタレンズ１１の第２領域１１ｂは前記規定がなされていない領域である。
【００２３】
ハウジング１３は、前面側が開口された箱状の収容凹部１３ａと、収容凹部１３ａの開口部１３ｂに連続する板状部１３ｃとを備える。
アウタレンズ１１はハウジング１３の前面側全体を覆い、ハウジング１３の収容凹部１３ａの開口部１３ｂはアウタレンズ１１により閉塞され、ハウジング１３の板状部１３ｃはアウタレンズ１１に対して間隙Ｓを設けて略平行に配置され、アウタレンズ１１の端部（図示略）はハウジング１３の板状部１３ｃに取付固定されている。
ハウジング１３において、収容凹部１３ａの内面および板状部１３ｃの表面は黒色または黒色に近い明度の低い色である。
ハウジング１３の収容凹部１３ａには、リフレクタ１４，１５、光源１６、実装基板１７が収容されている。
尚、ハウジング１３の収容凹部１３ａをアウタレンズ１１により完全に閉塞して液密構造にすれば、収容凹部１３ａ内の収容物を雨水から保護して照明装置１０の信頼性を高めることができる。
【００２４】
リフレクタ１４は凹面状であり、ハウジング１３の収容凹部１３ａにおける底面および一つの内側面を覆うように取付固定されている。
リフレクタ１５は略直角に屈曲した板状であり、リフレクタ１４に対向すると共に、ハウジング１３の収容凹部１３ａにおける開口部１３ｂの一辺の角部分を覆うように取付固定されている。
各リフレクタ１４，１５の光反射面は金属調である。
【００２５】
光源１６は実装基板１７の表面上に実装・搭載されている。
実装基板１７は、リフレクタ１４に対向すると共に、ハウジング１３の収容凹部１３ａの内側面にてリフレクタ１５に並んだ位置に取付固定されている。
光源１６は、光軸Ｌ方向にて、リフレクタ１５に隠蔽される位置に配置されている。
ハウジング１３における各リフレクタ１４，１５に覆われていない部分と、リフレクタ１４におけるハウジング１３の収容凹部１３ａの開口部１３ｂ近傍に延出された端部１４ａと、リフレクタ１５と、光源１６とは、光軸Ｌ方向にて、アウタレンズ１１の第２領域１１ｂの裏面側に配置されている。
【００２６】
矢印αに示すように、光源１６からリフレクタ１４に向けて放射された光は、リフレクタ１４によって反射された後に、アウタレンズ１１を透過して照明装置１０の前方側へ照射される。
また、光源１６からリフレクタ１５に向けて放射された光の一部は、リフレクタ１５からリフレクタ１４に向けて反射され、リフレクタ１４によって反射された後に、アウタレンズ１１を透過して照明装置１０の前方側へ照射される。
【００２７】
［照明装置１０の構成部材］
アウタレンズ１１は、十分な透光性を有する樹脂材料の射出成形により一体形成されており、その樹脂材料には、例えば、ＰＭＭＡ（Polymethyl methacrylate）、ＰＣ（Polycarbonate）、ＰＣ／ＡＢＳ（Acrylonitrile Butadiene Styrene）アロイ、ＰＥＴ（Polyethylene Terephthalate）などがある。
アウタレンズ１１の樹脂材料のうち、ＰＣは安価で射出成形性および耐候性に優れて透明度が高いため最も好適である。
【００２８】
ハーフミラー層１２ａ，１２ｂは、光反射性の高い金属材料の薄膜によって形成されており、その金属材料には、例えば、クロム、インジウム、アルミニウム、銀、金およびこれら金属材料の合金などがある。
ハーフミラー層１２ａ，１２ｂとなる金属薄膜の形成方法には、例えば、めっき法、ＰＶＤ（Physical Vapor Deposition）法、金属粉末を含む塗料を用いる塗装法などがある。
各ハーフミラー層１２ａ，１２ｂを異なる層厚に形成する方法には、例えば、前記形成方法（めっき法、ＰＶＤ法、塗装法）にて厚い層を１回で形成する方法や、複数回繰り返し行って層を重ねる方法がある。
【００２９】
ハウジング１３は、十分な強度を有する樹脂材料の射出成形により一体形成されている。
ハウジング１３における収容凹部１３ａの内面および板状部１３ｃの表面を黒色または黒色に近い明度の低い色にする方法には、例えば、適宜な色の塗料を用いる塗装法、ハウジング１３の樹脂材料に適宜な色の顔料を添加する方法などがある。
【００３０】
リフレクタ１４，１５は、光源１６が表出する開口を有するように、樹脂材料の射出成形により一体形成されるか、または、光反射性の高い金属材料の板材のプレス加工によって形成されている。
リフレクタ１４，１５を樹脂材料によって形成した場合に、その光反射面を金属調にする方法には、例えば、めっき法またはＰＶＤ法を用いて光反射性の高い金属薄膜を形成する方法、光反射性の高い金属材料の粉末を含む塗料を用いる塗装法などがある。
【００３１】
光源１６は、十分な光量が得られるならばどのような光源を用いてもよく、その光源には、例えば、半導体発光素子（例えば、ＬＥＤ（Light Emitting Diode）チップ、ＥＬ（Electro Luminescence）チップ、ＬＤ（Laser Diode）チップなど）、電球などがある。
【００３２】
［第１実施形態の作用・効果］
第１実施形態の照明装置１０によれば、以下の作用・効果を得ることができる。
【００３３】
［１］照明装置１０では、アウタレンズ１１に形成されたハーフミラー層１２ａ，１２ｂを備えるため、光源１６の非発光時に照明装置１０を金属調に光輝させて高級感を得ると共に目立たせることができる。
そして、照明装置１０の光軸Ｌと交差するアウタレンズ１１の第１領域１１ａの光透過率が高いため、第１領域１１ａの面積を十分に大きく設定すれば、光源１６の光量を多くしなくても、照明装置１０の光軸Ｌに沿った照射光の光量を十分に多くすることができる。
従って、発光効率の高い高価な光源１６が必要なく、光源１６の放熱対策を厳重にする必要もないため、照明装置１０の低コスト化を図ることができる。
【００３４】
また、アウタレンズ１１の第１領域１１ａの面積を十分に小さく設定すれば、光源１６の非発光時における昼間でも、第１領域１１ａのハーフミラー層１２ａを通して照明装置１０の内部が見え難くなるため、照明装置１０の見栄えを良くして美観を高めることができる。
すなわち、アウタレンズ１１の第１領域１１ａの面積は、照射光の光量と、照明装置１０の見栄えとを勘案して最適な面積に設定すればよい。
【００３５】
［２］照明装置１０では、アウタレンズ１１の第１領域１１ａの裏面側に配置され、光源１６の放射光をアウタレンズ１１に向けて反射する金属調のリフレクタ１４を備える。
光源１６の非発光時における昼間には、アウタレンズ１１の第１領域１１ａのハーフミラー層１２ａを通してリフレクタ１４が見えるが、リフレクタ１４が金属調で光輝するため、アウタレンズ１１の第２領域１１ｂのハーフミラー層１２ｂが光輝するのと相俟って、照明装置１０の内部を見え難くすることが可能であり、照明装置１０の美観を更に高めることができる。
【００３６】
［３］照明装置１０では、光源１６とリフレクタ１４の端部１４ａとが、光軸Ｌ方向にて、アウタレンズ１１の第２領域１１ｂの裏面側に配置されている。
そのため、光源１６やリフレクタ１４の端部１４ａが、アウタレンズ１１の第２領域１１ｂによって隠蔽され、光源１６の非発光時における昼間でも、アウタレンズ１１の第１領域１１ａのハーフミラー層１２ａを通して光源１６やリフレクタ１４の端部１４ａが見えないため、照明装置１０の美観を更に高めることができる。
【００３７】
［４］照明装置１０では、ハーフミラー層１２ａ，１２ｂをアウタレンズ１１の裏面に形成するだけでよいため、ハーフミラー層１２ａ，１２ｂをアウタレンズ１１の表裏両面に形成する場合に比べて、照明装置１０の製造コストを低減することができる。
【００３８】
［５］照明装置１０では、アウタレンズ１１の第１領域１１ａにおけるハーフミラー層１２ａの層厚が、アウタレンズ１１の第２領域１１ｂにおけるハーフミラー層１２ｂの層厚よりも薄く形成されている。
すなわち、ハーフミラー層の層厚が薄いほど光透過率が高くなることを利用し、アウタレンズ１１における第１領域１１ａと第２領域１１ｂとでハーフミラー層１２ａ，１２ｂの層厚を異ならせるだけで、第２領域１１ｂの光透過率よりも第１領域１１ａの光透過率を容易に高くすることができる。
【００３９】
［６］ハーフミラー層１２ａ，１２ｂをアウタレンズ１１の表面に形成した場合、照明装置１０の外部からアウタレンズ１１に外力が印加されると、ハーフミラー層１２ａ，１２ｂが傷付いたり剥離を起こすという欠点がある。
しかし、照明装置１０では、ハーフミラー層１２ａ，１２ｂがアウタレンズ１１の裏面に形成されているため、前記欠点を回避することができる。
【００４０】
［７］照明装置１０では、ハウジング１３におけるリフレクタ１４，１５に覆われていない部分が、アウタレンズ１１の第２領域１１ｂによって隠蔽され、光源１６の非発光時における昼間でも、第１領域１１ａのハーフミラー層１２を通してハウジング１３の当該部分が見えないため、ハウジング１３を備えても照明装置１０の美観が損なわれるのを回避できる。
【００４１】
［８］ハウジング１３は、収容凹部１３ａの開口部１３ｂに連続する板状部１３ｃとを備え、板状部１３ｃはアウタレンズ１１に対して間隙を設けて略平行に配置され、板状部１３ｃの表面は黒色または黒色に近い明度の低い色である。
そのため、ハーフミラー層１２を通して見えるハウジング１３の板状部１３ｃの奥行き感が分かり難くなるため、板状部１３ｃが見え難くなり、板状部１３ｃを備えても照明装置１０の美観が損なわれるのを回避できる。
【００４２】
＜第２実施形態＞
図２に示すように、第２実施形態の照明装置２０は、アウタレンズ１１（第１領域１１ａ、第２領域１１ｂ）、ハウジング１３（収容凹部１３ａ、開口部１３ｂ、板状部１３ｃ）、リフレクタ１４（端部１４ａ）、リフレクタ１５、光源１６、実装基板１７、光軸Ｌ、間隙Ｓ、ハーフミラー層２１ａ，２１ｂなどを備え、車両外装用照明装置（例えば、フォグランプなど）として用いられる。
【００４３】
第２実施形態の照明装置２０において、第１実施形態の照明装置１０と異なるのは、ハーフミラー層１２ａ，１２ｂが省かれ、ハーフミラー層２１ａ，２１ｂが設けられている点である。
ハーフミラー層２１ａ，２１ｂの材料および形成方法は、ハーフミラー層１２ａ，１２ｂと同じである。
【００４４】
ハーフミラー層２１ａは適宜な縞模様状（例えば、縦縞、横縞、斜縞、格子縞など）に形成であり、アウタレンズ１１の第１領域１１ａの裏面に形成されている。
ハーフミラー層２１ｂの層厚は略均一であり、ハーフミラー層２１ｂはアウタレンズ１１の第２領域１１ｂの裏面に形成されている。
ハーフミラー層２１ａは縞模様を構成する個々の線であり、個々のハーフミラー層２１ａ間の露出部分が多いほど光透過率は高くなる。
そのため、アウタレンズ１１の光透過率は、第２領域１１ｂよりも第１領域１１ａの方が高くなるように設定されている。
すなわち、第３実施形態では、ハーフミラー層を縞模様状にすると光透過率が高くなることを利用し、アウタレンズ１１の第１領域１１ａにおけるハーフミラー層１２ａを縞模様状にするだけで、アウタレンズ１１の第２領域１１ｂの光透過率よりも第１領域１１ａの光透過率を容易に高くすることができる。
【００４５】
従って、第２実施形態によれば、第１実施形態の前記作用・効果のうち前記［５］を除く作用・効果を得ることができる。
尚、ハーフミラー層２１ａを縞模様状に形成するには、前記形成方法（めっき法、ＰＶＤ法、塗装法）にて、個々のハーフミラー層２１ａ間の露出部分を覆うマスクを用いればよい。
【００４６】
＜第３実施形態＞
図３に示すように、第３実施形態の照明装置３０は、アウタレンズ１１（第１領域１１ａ、第２領域１１ｂ）、ハウジング１３（収容凹部１３ａ、開口部１３ｂ、板状部１３ｃ）、リフレクタ１４（端部１４ａ）、リフレクタ１５、光源１６、実装基板１７、光軸Ｌ、間隙Ｓ、ハーフミラー層３１ａ，３１ｂなどを備え、車両外装用照明装置（例えば、フォグランプなど）として用いられる。
【００４７】
第３実施形態の照明装置３０において、第１実施形態の照明装置１０と異なるのは、ハーフミラー層１２ａ，１２ｂが省かれ、ハーフミラー層３１ａ，３１ｂが設けられている点である。
ハーフミラー層３１ａ，３１ｂの材料および形成方法は、ハーフミラー層１２ａ，１２ｂと同じである。
【００４８】
各ハーフミラー層３１ａ，３１ｂの層厚はそれぞれ略均一であり、ハーフミラー層３１ａはアウタレンズ１１の表面側全面に形成され、ハーフミラー層３１ｂはアウタレンズ１１の第２領域１１ｂの裏面に形成されている。
すなわち、アウタレンズ１１において、第２領域１１ｂの表裏面にはそれぞれハーフミラー層３１ａ，３１ｂが形成され、第１領域１１ａには表面にだけハーフミラー層３１ａが形成されている。
アウタレンズ１１の表裏両面に形成されたハーフミラー層３１ａ，３１ｂの層厚の合計が薄いほど光透過率は高くなるため、アウタレンズ１１の光透過率は、第２領域１１ｂよりも第１領域１１ａの方が高くなるように設定されている。
従って、第３実施形態によれば、第１実施形態の前記作用・効果のうち前記［４］〜［６］を除く作用・効果を得ることができる。
【００４９】
＜実施形態の記載に基づく付記事項＞
前記した各実施形態および別の実施形態から把握できる技術的思想を以下に追記する。
【００５０】
［付記１］前記ハーフミラー層は前記アウタレンズの裏面に形成されている、第４局面に記載の照明装置。
ハーフミラー層をアウタレンズの表面に形成した場合、照明装置の外部からアウタレンズに外力が印加されると、ハーフミラー層が傷付いたり剥離を起こすという欠点があるが、第５局面によれば前記欠点を回避することができる。
【００５１】
［付記２］前記光源が取付固定されたハウジングを備え、前記リフレクタは前記ハウジングに収容され、前記ハウジングにおける前記リフレクタに覆われていない部分が、前記光軸方向にて前記第２領域の裏面側に配置されている、第２〜第７局面または付記１に記載の照明装置。
付記２では、ハウジングにおけるリフレクタに覆われていない部分が第２領域によって隠蔽され、光源の非発光時における昼間でも、第１領域のハーフミラー層を通してハウジングの当該部分が見えないため、ハウジングを備えても照明装置の美観が損なわれるのを回避できる。
【００５２】
［付記３］前記ハウジングは、前記光源および前記リフレクタが収容された収容凹部と、前記収容凹部の開口部に連続する板状部とを備え、前記板状部はアウタレンズに対して間隙を設けて略平行に配置され、前記板状部の表面は明度の低い色である、付記２に記載の照明装置。
付記３では、ハーフミラー層を通して見えるハウジングの板状部の奥行き感が分かり難くなるため、ハウジングの板状部が見え難くなり、ハウジングの板状部を備えても照明装置の美観が損なわれるのを回避できる。
【００５３】
本発明は、前記各実施形態を適宜組み合わせて実施してもよく、その場合には組み合わせた実施形態の作用・効果を合わせもたせたり、相乗効果を得ることができる。
また、本発明は、前記各局面、前記各実施形態、前記付記事項の記載に何ら限定されるものではない。前記各局面、前記各実施形態、前記付記事項および特許請求の範囲の記載を逸脱せず、当業者が容易に想到できる範囲で種々の変形態様も本発明に含まれる。本明細書の中で明示した公報などの内容は、その全ての内容を援用によって引用することとする。
【符号の説明】
【００５４】
１０，２０，３０…照明装置
１１…アウタレンズ
１１ａ…第１領域
１１ｂ…第２領域
１２ａ，１２ｂ，２１ａ，２１ｂ，３１ａ，３１ｂ…ハーフミラー層
１３…ハウジング
１３ａ…収容凹部
１３ｂ…開口部
１３ｃ…板状部
１４，１５…リフレクタ
１４ａ…端部
１６…光源
Ｌ…光軸
Ｓ…間隙
【図１】
0006579328.tif 000002
【図２】
0006579328.tif 000003
【図３】
0006579328.tif 000004